【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
マルチレイヤビットストリームのビデオパラメータセット（ＶＰＳ）から、
レイヤ間予測に対する少なくとも１つの制約が前記マルチレイヤビットストリームの１つまたは複数のレイヤのうちの少なくとも１つの直接参照レイヤに適用するかどうかを示すｉｌｐ＿ｒｅｓｔｒｉｃｔｅｄ＿ｒｅｆ＿ｌａｙｅｒｓ＿ｆｌａｇシンタックス要素と、レイヤ間予測に対する前記少なくとも１つの制約は、
ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素自体によって、またはｍｉｎ＿ｈｏｒｉｚｏｎｔａｌ＿ｃｔｕ＿ｏｆｆｓｅｔ＿ｐｌｕｓ１［ｉ］［ｊ］シンタックスと一緒に、ｊ番目の直接参照レイヤの各ピクチャの中の、レイヤインデックスｉを有するピクチャを復号するためのレイヤ間予測について使用されない空間エリアを示す前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と、または、
前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と一緒に、前記ｊ番目の直接参照レイヤの各ピクチャの中の、前記レイヤインデックスｉを有する前記ピクチャの復号のためのレイヤ間予測について使用されない前記空間エリアを示す前記ｍｉｎ＿ｈｏｒｉｚｏｎｔａｌ＿ｃｔｕ＿ｏｆｆｓｅｔ＿ｐｌｕｓ１［ｉ］［ｊ］シンタックス要素と、
のうちの少なくとも１つを備え、
レイヤのピクチャのいずれか２つのサンプルが１つのタイルに属するとき、存在する場合、別のピクチャの中の配列されたサンプルは１つのタイルに属すること、またはレイヤのピクチャのいずれか２つのサンプルが異なるタイルに属するとき、存在する場合、別のピクチャの中の配列されたサンプルは異なるタイルに属することを示すｔｉｌｅ＿ｂｏｕｎｄａｒｉｅｓ＿ａｌｉｇｎｅｄ＿ｆｌａｇシンタックス要素と、
のうちの少なくとも１つを復号することと、
前記ＶＰＳから復号される前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素、または前記ＶＰＳから復号される前記ｔｉｌｅ＿ｂｏｕｎｄａｒｉｅｓ＿ａｌｉｇｎｅｄ＿ｆｌａｇシンタックス要素のうちの少なくとも１つに従って、前記マルチレイヤビットストリームを復号することと
を備える、方法。
【請求項２】
少なくとも１つのレイヤが少なくとも１つのレイヤ間制約を有するとき、前記マルチレイヤビットストリームの各レイヤが、関連付けられたレイヤ間制約を有するかどうかを再帰的に決定することをさらに備える、請求項１に記載の方法。
【請求項３】
ビデオデータを符号化する方法であって、
マルチレイヤビットストリームのビデオパラメータセット（ＶＰＳ）の中で、
レイヤ間予測に対する少なくとも１つの制約が前記マルチレイヤビットストリームの１つまたは複数のレイヤのうちの少なくとも１つの直接参照レイヤにとって適用するかどうかを示すｉｌｐ＿ｒｅｓｔｒｉｃｔｅｄ＿ｒｅｆ＿ｌａｙｅｒｓ＿ｆｌａｇシンタックス要素と、レイヤ間予測に対する前記少なくとも１つの制約は、
ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素自体によって、またはｍｉｎ＿ｈｏｒｉｚｏｎｔａｌ＿ｃｔｕ＿ｏｆｆｓｅｔ＿ｐｌｕｓ１［ｉ］［ｊ］シンタックスと一緒に、ｊ番目の直接参照レイヤの各ピクチャの中の、レイヤインデックスｉを有するピクチャを復号するためのレイヤ間予測について使用されない空間エリアを示す前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と、または、
前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と一緒に、前記ｊ番目の直接参照レイヤの各ピクチャの中の、前記レイヤインデックスｉを有する前記ピクチャの復号のためのレイヤ間予測について使用されない前記空間エリアを示す前記ｍｉｎ＿ｈｏｒｉｚｏｎｔａｌ＿ｃｔｕ＿ｏｆｆｓｅｔ＿ｐｌｕｓ１［ｉ］［ｊ］シンタックス要素と、
のうちの少なくとも１つを備え、
レイヤのピクチャのいずれか２つのサンプルが１つのタイルに属するとき、存在する場合、別のピクチャの中の配列されたサンプルは１つのタイルに属すること、またはレイヤのピクチャのいずれか２つのサンプルが異なるタイルに属するとき、存在する場合、別のピクチャの中の配列されたサンプルは異なるタイルに属することを示すｔｉｌｅ＿ｂｏｕｎｄａｒｉｅｓ＿ａｌｉｇｎｅｄ＿ｆｌａｇシンタックス要素と、
のうちの少なくとも１つを符号化することと、
前記ＶＰＳから復号される前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素、または前記ＶＰＳの中で符号化される前記ｔｉｌｅ＿ｂｏｕｎｄａｒｉｅｓ＿ａｌｉｇｎｅｄ＿ｆｌａｇシンタックス要素のうちの少なくとも１つに従って、前記マルチレイヤビットストリームを符号化することとを備える、方法。
【請求項４】
少なくとも１つのレイヤが少なくとも１つのレイヤ間制約を有するとき、前記マルチレイヤビットストリームの各レイヤが、関連付けられたレイヤ間制約を有するかどうかを決定することをさらに備える、請求項３に記載の方法。
【請求項５】
ビデオコーディングを実行する装置であって、
ビデオデータを記憶するメモリと、
レイヤ間予測に対する少なくとも１つの制約がマルチレイヤビットストリームの１つまたは複数のレイヤのうちの少なくとも１つの直接参照レイヤにとって適用するかどうかを示すｉｌｐ＿ｒｅｓｔｒｉｃｔｅｄ＿ｒｅｆ＿ｌａｙｅｒｓ＿ｆｌａｇシンタックス要素と、レイヤ間予測に対する前記少なくとも１つの制約は、
ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素自体によって、またはｍｉｎ＿ｈｏｒｉｚｏｎｔａｌ＿ｃｔｕ＿ｏｆｆｓｅｔ＿ｐｌｕｓ１［ｉ］［ｊ］シンタックスと一緒に、ｊ番目の直接参照レイヤの各ピクチャの中の、レイヤインデックスｉを有するピクチャを復号するためのレイヤ間予測について使用されない空間エリアを示す前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と、または、
前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と一緒に、ｉ番目の直接参照レイヤの各ピクチャの中の、前記レイヤインデックスｉを有する前記ピクチャの復号のためのレイヤ間予測について使用されない前記空間エリアを示す前記ｍｉｎ＿ｈｏｒｉｚｏｎｔａｌ＿ｃｔｕ＿ｏｆｆｓｅｔ＿ｐｌｕｓ１［ｉ］［ｊ］シンタックス要素と、
のうちの少なくとも１つを備え、
レイヤのピクチャのいずれか２つのサンプルが１つのタイルに属するとき、存在する場合、別のピクチャの中の配列されたサンプルは１つのタイルに属すること、またはレイヤのピクチャのいずれか２つのサンプルが異なるタイルに属するとき、存在する場合、別のピクチャの中の配列されたサンプルは異なるタイルに属することを示すｔｉｌｅ＿ｂｏｕｎｄａｒｉｅｓ＿ａｌｉｇｎｅｄ＿ｆｌａｇシンタックス要素と、
のうちの、少なくとも１つをコーディングすることを含む、前記マルチレイヤビットストリームのビデオパラメータセット（ＶＰＳ）のデータをコーディングすることと、
前記ＶＰＳから復号される前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素、または前記ＶＰＳの前記ｔｉｌｅ＿ｂｏｕｎｄａｒｉｅｓ＿ａｌｉｇｎｅｄ＿ｆｌａｇシンタックス要素のうちの少なくとも１つに従って、前記マルチレイヤビットストリームをコーディングすることと
を行うように構成されたビデオコーダと
を備える、装置。
【請求項６】
前記ビデオコーダは、少なくとも１つのレイヤが少なくとも１つのレイヤ間制約を有するとき、前記マルチレイヤビットストリームの各レイヤが、関連付けられたレイヤ間制約を有するかどうかを決定するようにさらに構成される、請求項５に記載の装置。
【請求項７】
前記ビデオデータをコーディングするために、前記ビデオコーダは、
前記マルチレイヤビットストリームの少なくとも１つのレイヤについての残差ビデオデータを決定することと、
前記残差データを変換することと、
前記マルチレイヤビットストリームの中で前記変換された残差データを表すデータを符号化することとを備える、前記ビデオデータを符号化することを行うように構成される、請求項５に記載の装置。
【請求項８】
前記ビデオデータをコーディングするために、前記ビデオコーダは、
前記マルチレイヤビットストリームから、前記マルチレイヤビットストリームの少なくとも１つのレイヤについての残差ビデオデータを表すデータを解析することと、
前記残差データを逆変換することと、
ビデオデータの前記少なくとも１つのレイヤを、前記逆変換された残差データに基づいて再構成することとを備える、前記ビデオデータを復号することを行うように構成される、請求項５に記載の装置。
【請求項９】
前記ビデオデータを提示するように構成されたディスプレイデバイスをさらに備える、請求項５に記載の装置。
【請求項１０】
前記ビデオデータを受信するように構成されたワイヤレスモデムをさらに備える、請求項５に記載の装置。
【請求項１１】
ビデオコーディングを実行する装置であって、
レイヤ間予測に対する少なくとも１つの制約がマルチレイヤビットストリームの１つまたは複数のレイヤのうちの少なくとも１つの直接参照レイヤにとって適用するかどうかを示すｉｌｐ＿ｒｅｓｔｒｉｃｔｅｄ＿ｒｅｆ＿ｌａｙｅｒｓ＿ｆｌａｇシンタックス要素と、レイヤ間予測に対する前記少なくとも１つの制約は、
ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素自体によって、またはｍｉｎ＿ｈｏｒｉｚｏｎｔａｌ＿ｃｔｕ＿ｏｆｆｓｅｔ＿ｐｌｕｓ１［ｉ］［ｊ］シンタックスと一緒に、ｉ番目の直接参照レイヤの各ピクチャの中の、レイヤインデックスｉを有するピクチャを復号するためのレイヤ間予測について使用されない空間エリアを示す前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と、または、
前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と一緒に、ｊ番目の直接参照レイヤの各ピクチャの中の、前記レイヤインデックスｉを有する前記ピクチャの復号のためのレイヤ間予測について使用されない前記空間エリアを示す前記ｍｉｎ＿ｈｏｒｉｚｏｎｔａｌ＿ｃｔｕ＿ｏｆｆｓｅｔ＿ｐｌｕｓ１［ｉ］［ｊ］シンタックス要素と、
のうちの少なくとも１つを備え、
レイヤのピクチャのいずれか２つのサンプルが１つのタイルに属するとき、存在する場合、別のピクチャの中の配列されたサンプルは１つのタイルに属すること、またはレイヤのピクチャのいずれか２つのサンプルが異なるタイルに属するとき、存在する場合、別のピクチャの中の配列されたサンプルは異なるタイルに属することを示すｔｉｌｅ＿ｂｏｕｎｄａｒｉｅｓ＿ａｌｉｇｎｅｄ＿ｆｌａｇシンタックス要素と、
のうちの少なくとも１つを含む、前記マルチレイヤビットストリームのビデオパラメータセット（ＶＰＳ）のデータをコーディングするための手段と、
前記ＶＰＳから復号される前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素、または前記ＶＰＳの前記ｔｉｌｅ＿ｂｏｕｎｄａｒｉｅｓ＿ａｌｉｇｎｅｄ＿ｆｌａｇシンタックス要素のうちの少なくとも１つに従って、前記マルチレイヤビットストリームをコーディングするための手段とを備える、装置。
【請求項１２】
少なくとも１つのレイヤが少なくとも１つのレイヤ間制約を有するとき、前記マルチレイヤビットストリームの各レイヤが、関連付けられたレイヤ間制約を有するかどうかを決定するための手段をさらに備える、請求項１１に記載の装置。
【請求項１３】
命令を記憶する非一時的コンピュータ可読媒体であって、前記命令が、実行されたとき、ビデオコーダに、
レイヤ間予測に対する少なくとも１つの制約がマルチレイヤビットストリームの１つまたは複数のレイヤのうちの少なくとも１つの直接参照レイヤにとって適用するかどうかを示すｉｌｐ＿ｒｅｓｔｒｉｃｔｅｄ＿ｒｅｆ＿ｌａｙｅｒｓ＿ｆｌａｇシンタックス要素と、レイヤ間予測に対する前記少なくとも１つの制約は、
ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素自体によって、またはｍｉｎ＿ｈｏｒｉｚｏｎｔａｌ＿ｃｔｕ＿ｏｆｆｓｅｔ＿ｐｌｕｓ１［ｉ］［ｊ］シンタックスと一緒に、ｊ番目の直接参照レイヤの各ピクチャの中の、レイヤインデックスｉを有するピクチャを復号するためのレイヤ間予測について使用されない空間エリアを示す前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と、または、
前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素と一緒に、前記ｊ番目の直接参照レイヤの各ピクチャの中の、前記レイヤインデックスｉを有する前記ピクチャの復号のためのレイヤ間予測について使用されない前記空間エリアを示す前記ｍｉｎ＿ｈｏｒｉｚｏｎｔａｌ＿ｃｔｕ＿ｏｆｆｓｅｔ＿ｐｌｕｓ１［ｉ］［ｊ］シンタックス要素と、
のうちの少なくとも１つを備え、
レイヤのピクチャのいずれか２つのサンプルが１つのタイルに属するとき、存在する場合、別のピクチャの中の配列されたサンプルは１つのタイルに属すること、またはレイヤのピクチャのいずれか２つのサンプルが異なるタイルに属するとき、存在する場合、別のピクチャの中の配列されたサンプルは異なるタイルに属することを示すｔｉｌｅ＿ｂｏｕｎｄａｒｉｅｓ＿ａｌｉｇｎｅｄ＿ｆｌａｇシンタックス要素と、
のうちの少なくとも１つをコーディングすることを含む、前記マルチレイヤビットストリームのビデオパラメータセット（ＶＰＳ）のデータをコーディングすることと、
前記ＶＰＳから復号される前記ｍｉｎ＿ｓｐａｔｉａｌ＿ｓｅｇｍｅｎｔ＿ｏｆｆｓｅｔ＿ｐｌｕｓ１［ｉ］［ｊ］シンタックス要素、または前記ＶＰＳの前記ｔｉｌｅ＿ｂｏｕｎｄａｒｉｅｓ＿ａｌｉｇｎｅｄ＿ｆｌａｇシンタックス要素データのうちの少なくとも１つに従って、前記マルチレイヤビットストリームをコーディングすることとを行わせる、非一時的コンピュータ可読媒体。
【請求項１４】
前記命令は、前記ビデオコーダに、少なくとも１つのレイヤが少なくとも１つのレイヤ間制約を有するとき、前記マルチレイヤビットストリームの各レイヤが、関連付けられたレイヤ間制約を有するかどうかを決定させる、請求項１３に記載の非一時的コンピュータ可読媒体。